(57)【要約】【課題】回転ドラム内で洗濯、すすぎ、脱水、乾燥などの各行程を逐次行うドラム式洗濯機において、毛足の長い衣類やペットの毛等が付着した衣類を乾燥した場合に発生する衣類くずなどが熱交換器の内部に堆積するのを防止し、乾燥性能が低下するのを防止する。【解決手段】回転軸を略水平方向に有し水槽４内に回転自在に配設した回転ドラム６をモータにより駆動し、水槽４内に洗濯用給水弁により給水し、水槽４内に送風機１５により送風するとともにヒータ１６を送風機１５と連通し、送風機１５と水槽４に連通した熱交換器１７により回転ドラム６内の洗濯物から蒸発した水分を冷却水によって除湿する。水槽４内に給水した状態で回転ドラム６を回転および停止させることにより、熱交換器１７の内部を水槽４内部の水にて洗浄するよう構成する。【選択図】　図１
2004121352.tif 000002
【特許請求の範囲】
【請求項１】
回転軸を略水平方向に有し水槽内に回転自在に配設した回転ドラムと、前記回転ドラムを駆動するモータと、前記水槽内に給水する給水手段と、前記水槽内に送風する送風手段と、前記送風手段と連通した加熱手段と、前記送風手段と前記水槽に連通し前記回転ドラム内の洗濯物から蒸発した水分を冷却水によって除湿する熱交換器とを備え、前記水槽内に給水した状態で前記回転ドラムを回転および停止させることにより、前記熱交換器の内部を水槽内部の水で洗浄するよう構成したドラム式洗濯乾燥機。
【請求項２】
回転軸を略水平方向に有し水槽内に回転自在に配設した回転ドラムと、前記回転ドラムを駆動するモータと、前記水槽内に給水する給水手段と、前記水槽内に送風する送風手段と、前記送風手段と連通した加熱手段と、前記送風手段と前記水槽に連通し前記回転ドラム内の洗濯物から蒸発した水分を冷却水によって除湿する熱交換器とを備え、前記水槽内に給水した状態で前記回転ドラムを回転させながら徐々に水槽内部の給水を排水することにより、前記熱交換器の内部を洗浄するよう構成したドラム式洗濯乾燥機。
【請求項３】
熱交換器の内部に異物捕集用のリブを設け、前記リブは熱交換器の下方に配設した請求項１または２記載のドラム式洗濯乾燥機。
【請求項４】
異物捕集用のリブは、熱交換器内部の送風方向にスリット状の１つまたは複数の仕切り板で構成した請求項３記載のドラム式洗濯乾燥機。
【請求項５】
モータの回転数を制御する制御手段と、水槽内部の水位を検出する水位検出手段とを備え、前記制御手段は、前記水位検知手段の信号に応じて、モータ回転数を制御するようにした請求項１〜４のいずれか１項に記載のドラム式洗濯乾燥機。
【請求項６】
加熱手段は、正の温度係数を有する半導体ヒータによって構成した請求項１〜５のいずれか１項に記載のドラム式洗濯乾燥機。
【請求項７】
熱交換器の内部に異物捕集用のリブを設け、前記異物捕集用のリブは前記熱交換器と別部材で構成し、着脱可能とした請求項１〜６のいずれか１項に記載のドラム式洗濯乾燥機。
【発明の詳細な説明】
【０００１】
【発明の属する技術分野】
本発明は、回転ドラム内で洗濯、すすぎ、脱水、乾燥などの各行程を逐次行うドラム式洗濯機に関するものである。
【０００２】
【従来の技術】
従来、この種のドラム式洗濯乾燥機は図９に示すような構成であった。以下、その構成について説明する。
【０００３】
図９に示すように、筐体１は、内部に複数のサスペンション２とダンパー３で水槽４を支持しており、水槽４の開口部に開閉自在なドア５を設けている。水槽４内に回転ドラム６を回転自在に配設し、この回転ドラム６に多数の通水孔７とバッフル８を設けている。
【０００４】
筐体１に洗濯用給水弁９と乾燥用給水弁１０とを設け、水槽４に設けた排水口１１と排水ポンプ１２とを排水経路１３により連通している。送風機１５は水槽４内に吹き出し口１４を介して送風するもので、この送風機１５にヒータ１６を連通し、水槽４内と送風機１５に連通した熱交換器１７を設け、水槽４と送風機１５とヒータ１６と熱交換器１７とによって、一連の送風経路を構成している。給水ホース１８は乾燥用給水弁１０から熱交換器１７内に通水するものである（例えば、特許文献１参照）。
【０００５】
上記構成において動作を説明する。回転ドラム６内に洗濯物を投入して洗濯行程を開始すると、洗濯用給水弁９が開き水槽４内に所定の水位まで給水する。つぎに、回転ドラム６を約５０ｒ／ｍｉｎの回転数で駆動し、投入された衣類はバッフル８によって持ち上げられては落下を繰り返し、洗剤水と水面に落下したときの衝撃力によって洗浄される。
【０００６】
洗濯行程が終わると排水ポンプ１２を駆動し、洗濯水を排水経路１３を通じて排水する。排水が終わると回転ドラム６を約１０００ｒ／ｍｉｎの回転数で高速回転し脱水を行う。さらに、脱水行程が終了すると乾燥行程へ移行する。
【０００７】
乾燥行程では洗濯行程と同様に、回転ドラム６を駆動し、回転ドラム６内の洗濯物を撹拌しながら送風機１５とヒータ１６によって加熱された熱風を回転ドラム６内の衣類に吹き出し口１４から吹き付け、衣類内に含まれた水分を加熱し蒸発させる。
【０００８】
さらに、蒸気を含む高温の空気は熱交換器１７内に送られ、乾燥用給水弁１０から熱交換器１７内に供給された冷却水と混合し、熱交換を行い冷却除湿される。除湿された空気はヒータ１６によって再び加熱されて回転ドラム６内に送られ、衣類の乾燥を行う。これによって一連の乾燥サイクルを形成する。
【０００９】
【特許文献１】
特開２００１−２９３２７８号公報
【００１０】
【発明が解決しようとする課題】
このような従来の構成において、乾燥中の効率を上げるためには、熱交換器１７の内部または送風経路、あるいはその両方に十分な断面積を確保する必要があるが、毛足の長い衣類やペットの毛等が付着した衣類を乾燥すると、熱交換器１７の内部または送風経路、あるいはその両方に堆積して送風を妨げ、乾燥性能を著しく落とすという問題があった。
【００１１】
また、このような問題に対して、熱交換器１７の内部または送風経路、あるいはその両方に給水経路を別に設け、衣類のくずなどを洗い流す手段も考えられるが、熱交換器１７の内部または送風経路、あるいはその両方を完全に洗浄するだけの給水量を確保することができず、十分な効果が得られにくかった。
【００１２】
本発明は上記従来の課題を解決するもので、毛足の長い衣類やペットの毛等が付着した衣類を乾燥した場合に発生する衣類くずなどが熱交換器の内部に堆積するのを防止し、乾燥性能が低下するのを防止することを目的としている。
【００１３】
【課題を解決するための手段】
本発明は上記目的を達成するために、回転軸を略水平方向に有し水槽内に回転自在に配設した回転ドラムをモータにより駆動し、水槽内に給水手段により給水し、水槽内に送風手段により送風するとともに加熱手段を送風手段と連通し、送風手段と水槽に連通した熱交換器により回転ドラム内の洗濯物から蒸発した水分を冷却水によって除湿するよう構成し、水槽内に給水した状態で回転ドラムを回転および停止させることにより、熱交換器の内部を水槽内部の水にて洗浄するよう構成したものである。
【００１４】
これにより、毛足の長い衣類やペットの毛等が付着した衣類を乾燥した場合に発生する衣類くずなどが熱交換器の内部に堆積するのを防止でき、乾燥性能が低下するのを防止することができる。
【００１５】
【発明の実施の形態】
本発明の請求項１に記載の発明は、回転軸を略水平方向に有し水槽内に回転自在に配設した回転ドラムと、前記回転ドラムを駆動するモータと、前記水槽内に給水する給水手段と、前記水槽内に送風する送風手段と、前記送風手段と連通した加熱手段と、前記送風手段と前記水槽に連通し前記回転ドラム内の洗濯物から蒸発した水分を冷却水によって除湿する熱交換器とを備え、前記水槽内に給水した状態で前記回転ドラムを回転および停止させることにより、前記熱交換器の内部を水槽内部の水で洗浄するよう構成したものであり、毛足の長い衣類やペットの毛等が付着した衣類を乾燥した場合に発生する衣類くずなどが熱交換器の内部に堆積するのを防止でき、乾燥性能が低下するのを防止することができる。
【００１６】
請求項２に記載の発明は、回転軸を略水平方向に有し水槽内に回転自在に配設した回転ドラムと、前記回転ドラムを駆動するモータと、前記水槽内に給水する給水手段と、前記水槽内に送風する送風手段と、前記送風手段と連通した加熱手段と、前記送風手段と前記水槽に連通し前記回転ドラム内の洗濯物から蒸発した水分を冷却水によって除湿する熱交換器とを備え、前記水槽内に給水した状態で前記回転ドラムを回転させながら徐々に水槽内部の給水を排水することにより、前記熱交換器の内部を洗浄するよう構成したものであり、毛足の長い衣類やペットの毛等が付着した衣類を乾燥した場合に発生する衣類くずなどが熱交換器の内部に堆積するのを防止でき、乾燥性能が低下するのを防止することができる。
【００１７】
請求項３に記載の発明は、上記請求項１または２に記載の発明において、熱交換器の内部に異物捕集用のリブを設け、前記リブは熱交換器の下方に配設したものであり、熱交換器に堆積する衣類くずや異物を積極的に集める部分を作ることにより、熱交換器全体に水が行きわたらなくても、効率的に回転ドラムの回転による水の循環により洗浄を行うことができる。
【００１８】
請求項４に記載の発明は、上記請求項３に記載の発明において、異物捕集用のリブは、熱交換器内部の送風方向にスリット状の１つまたは複数の仕切り板で構成したものであり、熱交換中の送風を妨げるのをなくすことができるとともに、異物捕集用のリブをスリット状に構成することにより、髪の毛や毛足の長い衣類のくずがリブへの巻きつくのを防止しながら集めることができる。
【００１９】
請求項５に記載の発明は、上記請求項１〜４に記載の発明において、モータの回転数を制御する制御手段と、水槽内部の水位を検出する水位検出手段とを備え、前記制御手段は、前記水位検知手段の信号に応じて、モータ回転数を制御するようにしたものであり、回転ドラム内部の水量に応じてモータの回転数を制御することにより、熱交換器の内部を洗浄するために必要な水の量を確保することができ、必要以上の負荷をモータにかけることがなく、省エネルギを実現することができる。
【００２０】
請求項６に記載の発明は、上記請求項１〜５に記載の発明において、加熱手段は、正の温度係数を有する半導体ヒータによって構成したものであり、熱交換器内部のみ水を循環することで、加熱手段を正の温度係数を有する半導体ヒータにより構成しても、洗浄中の漏電の危険がなく、安全で安価なドラム式洗濯乾燥機を構成することができる。
【００２１】
請求項７に記載の発明は、上記請求項１〜６に記載の発明において、熱交換器の内部に異物捕集用のリブを設け、前記異物捕集用のリブは前記熱交換器と別部材で構成し、着脱可能としたものであり、洗浄困難な異物が万一堆積した場合にも、熱交換器すべてを交換する必要がなく、サービス性を向上することができ、サービス時に必要なコストを安価に抑えることができる。
【００２２】
【実施例】
以下、本発明の実施例について、図面を参照しながら説明する。なお、従来例と同じ構成のものは同一符号を付して説明を省略する。
【００２３】
（実施例１）
図１に示すように、熱交換器１７は、送風機（送風手段）１５と水槽４に連通し、水槽４内の洗濯物から蒸発した水分を冷却水によって除湿するもので、送風機１５とヒータ（加熱手段）１６とを有する送風経路１８に連通し、送風経路１８は吹き出し口１４を介して水槽４に連通している。ここで、ヒータ１６は、正の温度係数を有する半導体ヒータによって構成している。
【００２４】
制御装置１９は、図２に示すように構成しており、マイクロコンピュータで構成した制御手段２０を有し、制御手段２０は、負荷駆動手段２１を介して、洗濯用給水弁（給水手段）９、乾燥用給水弁１０、排水ポンプ１２、送風機１５、ヒータ１６、回転ドラム６を駆動するモータ２２などの動作を制御し、洗濯、すすぎ、脱水、乾燥などの一連の行程を逐次制御する。
【００２５】
制御手段２０は、運転コース等を設定する入力設定手段２３からの情報を入力して、その情報を基に表示手段２４で表示して使用者に知らせるとともに、入力設定手段２３により運転開始が設定されると、水槽４内の水位を検知する水位検出手段２５等からのデータを入力し、負荷駆動手段２１を介して、洗濯用給水弁９、乾燥用給水弁１０、排水ポンプ１２、送風機１５、ヒータ１６、モータ２２などの動作を制御して運転をおこなう。
【００２６】
水位検出手段２５は、図示していないが、水槽４の内部の水の圧力に応じて出力するようにフロートスイッチもしくは圧電素子など用いて構成している。
【００２７】
制御手段２０は、モータ回転数検出手段２６からのパルス出力を所定時間の間カウントすることで、モータ２２の回転数を検知する。このとき、制御手段２０は、モータ回転数検出手段２６からの情報に基づいて負荷駆動手段２１を制御し、モータ２２の通電時間を制御することによりモータ２２を所定回転数に制御するようにしている。
【００２８】
モータ２２は、回転ドラム６に直結されており、制御手段２０によりモータ２２の回転数を制御することにより、回転ドラム６の回転数を制御するようにしている。
【００２９】
熱交換器１７の内部には、図３（ａ）に示すように、スリット状の仕切り板２７で構成した異物捕集用のリブ２８を設け、このリブ２８は熱交換器１７の下方に配設している。ここで、仕切り板２７のスリットの長さは、髪の毛などが巻きつかないような十分な長さとし、図３（ｂ）に示すように、仕切り板２７は１つのユニットとなっており、交換可能としている。
【００３０】
ここで、制御手段２０は、水槽４内に給水した状態で、モータ２２を駆動、停止することで、回転ドラム６を回転および停止させることにより、熱交換器１７の内部を水槽４内部の水にて洗浄するよう構成している。
【００３１】
上記構成において動作を説明する。なお、洗濯行程から乾燥行程までの基本的な動作は従来例と同じであるので説明を省略する。
【００３２】
乾燥行程にて、送風機１５による送風により、熱交換器１７に浸入したリント（髪の毛や衣類くず）２９は、異物捕集用のリブ２８に堆積していく。この熱交換器１７の内部に溜まったリント２９を洗浄するときの動作を図４を参照しながら説明する。
【００３３】
ステップ４０にて、制御手段２０は、洗濯用給水弁９を開き、回転ドラム６の内部に給水する。ステップ４１にて水位検出手段２５の信号により所定水位であることを検知するとステップ４２にて洗濯用給水弁９を停止し、これにより水槽４内部に一定量の水を溜める。
【００３４】
つぎに、ステップ４３にてモータ２２を駆動し、回転ドラム６を約１００ｒ／ｍｉｎ〜３００ｒ／ｍｉｎで所定時間の間回転させる。このとき、水槽４内部の水は回転ドラム６が回転することによる遠心ポンプ効果により、熱交換器１７内部に押し出され、図５（ａ）に示すように、熱交換器１７内部の水位面Ｐ１は上昇する。
【００３５】
つぎに、ステップ４４にて回転ドラム６の回転数を下げるもしくは停止させることにより、回転ドラム６の遠心ポンプ効果は弱められるから、熱交換器１７に押し出された水が水槽４内に戻り、結果として、図５（ｂ）に示すように、熱交換器１７内部の水位面Ｐ２を下降させる。このステップ４３からステップ４４の動作を所定回数繰り返すことにより、熱交換器１７の内部に入った水の勢いによって熱交換器１７内部の壁面に堆積したリント２９を引き離す。
【００３６】
ステップ４５にて、ステップ４３からステップ４４の動作が所定回数繰り返されると、ステップ４６へ進み排水ポンプ１２を駆動し、水槽４内部の水を排水する。ステップ４７にて水槽４内部の水が排水されるとステップ４８へ進み、排水ポンプ１２を停止する。これらのステップ４０からステップ４８の動作により、熱交換器１７内部のリント２９を熱交換器１７から排出することができ、乾燥行程において、リント２１により送風量が低下することによる乾燥性能が低下するのを防止することができる。
【００３７】
以上のように本実施例によれば、水槽４内に給水した状態で、モータ２２を駆動、停止することで、回転ドラム６を回転および停止させることにより、熱交換器１７の内部を水槽４内部の水にて洗浄するよう構成しているので、毛足の長い衣類やペットの毛等が付着した衣類を乾燥した場合に発生する衣類くずなどが、熱交換器１７の内部に堆積するのを防止でき、送風経路が詰まることによる乾燥性能の低下を防ぐことができるため、高寿命で信頼性の高いドラム式洗濯乾燥機を提供することができる。
【００３８】
また、熱交換器１７内部に、異物捕集用のリブ２８を設け、このリブ２８は熱交換器１７の下方に配設しているので、熱交換器１７に堆積する衣類くずや異物を積極的に集める部分を作ることにより、熱交換器１７全体に水が行きわたらなくても、効率的に回転ドラム６の回転により熱交換器１７内部を洗浄することができる。
【００３９】
また、異物捕集用のリブ２８は熱交換器１７内部に送風方向にスリット状の１つまたは複数の仕切り板２７で構成しているので、熱交換中の送風を妨げることなくし、また、スリット状に構成することにより、髪の毛や毛足の長い衣類のくずのリブへの巻きつきを防止しながら集めることができるため、回転ドラム６の回転により熱交換器１７に循環する水の勢いにより、効果的にリブ２８に集まった衣類くずなどを洗浄することができる。
【００４０】
また、異物捕集用のリブ２８は熱交換器本体と別パーツとし、着脱可能とすることにより、水槽４内部の水をドラム回転により熱交換器に循環洗浄させる場合に、洗浄困難な異物が万一堆積した場合にも、熱交換器１７すべてを交換する必要がなく、サービス時に必要なコストを安価に抑えることができる。
【００４１】
また、熱交換器１７内部のみ水を循環することで、ヒータ１６を正の温度係数を有する半導体ヒータにより構成しても、ヒータ１６に水がかかることがなく、洗浄中の漏電の危険がなく、安全で安価なドラム式洗濯乾燥機を構成することができる。
【００４２】
なお、本実施例では、水槽４内に給水した状態で、回転ドラム６を回転および停止させることにより、熱交換器１７の内部を水槽４内部の水にて洗浄するよう構成しているが、水槽４内部の水量が多いときや、回転ドラム６の回転数を高くすると、熱交換器１７内部の水位面はＰ１より上昇し、送風機１５とヒータ１６を有する送風経路１８を通して回転ドラム４内に循環するようになる。この場合も、ヒータ１６をシーズヒータで構成するなど、ヒータ１６および送風機１５を適切に防水することで、同様の効果を得ることができる。
【００４３】
（実施例２）
図２に示す制御手段２０は、水槽４内に給水した状態で、回転ドラム６を回転させながら徐々に水槽４内部の水を排水することにより、熱交換器１７の内部を水槽４内部の水にて洗浄するよう構成している。他の構成は上記実施例１と同じである。
【００４４】
上記構成において、熱交換器１７の内部に溜まったリント２９を洗浄するときの動作を図６を参照しながら説明する。
【００４５】
ステップ５０にて、制御手段２０は、洗濯用給水弁９を開き、回転ドラム６の内部に給水する。ステップ５１にて水位検出手段２５の信号により所定水位であることを検知すると、ステップ５２にて洗濯用給水弁９を停止し、これにより水槽内部に一定量の水を溜める。
【００４６】
つぎに、ステップ５３にてモータ２２を駆動し、ステップ５３にて回転ドラム６を約１００ｒ／ｍｉｎ〜３００ｒ／ｍｉｎで所定時間の間回転させる。このとき、水槽４の内部の水は回転ドラム６が回転することによる遠心ポンプ効果により、熱交換器１７の内部に押し出され、図７（ａ）に示すように、熱交換器１７内部の水位面Ｐ１は上昇する。熱交換器１７内部へ押し出された水の勢いにより、熱交換器１７内部の壁面に堆積したリント２９を引き離す。
【００４７】
ステップ５４にて所定時間経過するとステップ５５へ進み、回転ドラム６を回転させながら、排水ポンプ１２を駆動する。これにより、水槽４内部の水を徐々に排水され、回転ドラム６の遠心ポンプ効果により熱交換器１７に押し出される水量が減り、結果として、図７（ｂ）に示すように、熱交換器１７内部の水位面Ｐ２を下降させる。
【００４８】
つぎに、ステップ５６にて水槽４内部の水を排水したことを検知すると、ステップ５７にて、モータ２２の回転を停止し、排水ポンプ１２を停止する。このステップ５０からステップ５７の動作により、熱交換器１７内部のリント２９を熱交換器１７から排出させることができる。
【００４９】
以上のように本実施例によれば、水槽４内に給水した状態で、回転ドラム６を回転させながら徐々に水槽４内部の水を排水することにより、熱交換器１７の内部を水槽４内部の水にて洗浄するよう構成しているので、毛足の長い衣類やペットの毛等が付着した衣類を乾燥した場合に発生する衣類くずなどが、熱交換器１７内部に堆積するのを防止でき、送風経路が詰まることによる乾燥性能の低下を防ぐことができるため、高寿命で信頼性の高いドラム式洗濯乾燥機を提供することができる。
【００５０】
なお、本実施例では、水槽４内に給水した状態で、回転ドラム６を回転させながら徐々に水槽４内部の水を排水することにより、熱交換器１７の内部を水槽４内部の水にて洗浄するよう構成しているが、水槽４内部の水量が多いときや、回転ドラム６の回転数を高くすると、熱交換器１７内部の水位面はＰ１より上昇し、送風機１５とヒータ１６を有する送風経路１８を通して回転ドラム４内に循環するようになる。この場合も、ヒータ１６をシーズヒータで構成するなど、ヒータ１６および送風機１５を適切に防水することで、同様の効果を得ることができる。
【００５１】
（実施例３）
図２に示す制御手段２０は、モータ回転数検出手段２６からの情報に基づいて負荷駆動手段２１を制御し、モータ２２を所定回転数に制御するとともに、水位検知手段２５の信号に応じて、モータ２２の回転数を制御し、水槽４内に給水した状態で回転ドラム６を回転および停止させるとき、熱交換器１７の内部のみ水が循環するようにして、熱交換器１７の内部を水槽４内部の水にて洗浄するよう構成している。他の構成は上記実施例１または２と同じである。
【００５２】
上記構成において動作を説明する。水槽４内部に水が溜まっている状態で、回転ドラム６が回転すると、水槽４内部の水は回転ドラム６が回転することによる遠心ポンプ効果により、熱交換器１７内部に押し出され、結果として熱交換器１７内部の水位面は上昇する。
【００５３】
熱交換器１７内部の水位面の上昇は、回転ドラム６の回転数と水槽３の水量とに関係する関数関係にあるから、例えば、図８に示すように、水量が１０Ｌのときには、回転数をＡ点の回転数以下にすれば、熱交換器１７のみに水を行きわたらせることができる。なお、図８にて、水位面高さＢは、熱交換器１７の上限水位面を示している。
【００５４】
制御手段２０は、水槽４内部の水量を水位検出装置２５により検知し、水槽４内部の水量に応じてモータ２２を駆動し、回転ドラム６の回転数を所定の回転数に制御することにより、熱交換器１７内部のみ洗浄し、ヒータ１６および送風機１５に水がかかることがなく、安全に熱交換器１７を洗浄することができる。
【００５５】
以上のように本実施例によれば、水槽４内に給水した状態で回転ドラム６を回転および停止させ、熱交換器１７の内部を水槽４内部の水にて洗浄するとき、回転ドラム１７内部の水量に応じてモータ２２の回転数を制御することにより、熱交換器１７の内部を洗浄するために必要な水の量を確保することができ、必要以上の負荷をモータ２２にかけることがなく、省エネルギを実現することができる。
【００５６】
【発明の効果】
以上のように、本発明の請求項１記載の発明によれば、水槽内に給水した状態で回転ドラムを回転および停止させることにより、熱交換器の内部を水槽内部の水にて洗浄するよう構成することにより、毛足の長い衣類やペットの毛等が付着した衣類を乾燥した場合に発生する衣類くずなどが熱交換器の内部に堆積するのを防止でき、熱交換器が詰まることにより乾燥性能が低下するのを防止することができ、高寿命で信頼性の高いドラム式洗濯乾燥機を提供することができる。
【図面の簡単な説明】
【図１】本発明の第１の実施例のドラム式洗濯乾燥機の要部断面図
【図２】同ドラム式洗濯乾燥機のブロック回路図
【図３】（ａ）同ドラム式洗濯乾燥機の熱交換器の一部切欠した斜視図
（ｂ）同ドラム式洗濯乾燥機の熱交換器の分解斜視図
【図４】同ドラム式洗濯乾燥機の要部フローチャート
【図５】（ａ）同ドラム式洗濯乾燥機の水槽内に給水した状態で回転ドラムを回転させたときの要部断面図
（ｂ）同ドラム式洗濯乾燥機の水槽内に給水した状態で回転ドラムを停止させたときの要部断面図
【図６】本発明の第２の実施例のドラム式洗濯乾燥機の要部フローチャート
【図７】（ａ）同ドラム式洗濯乾燥機の水槽内に給水した状態で回転ドラムを回転させたときの要部断面図
（ｂ）同ドラム式洗濯乾燥機の水槽内に給水した状態で回転ドラムを停止させたときの要部断面図
【図８】本発明の第３の実施例のドラム式洗濯乾燥機のドラム回転数と熱交換器内水位の関係図
【図９】従来のドラム式洗濯乾燥機の断面図
【符号の説明】
４　水槽
６　回転ドラム
９　洗濯用給水弁（給水手段）
１５　送風機（送風手段）
１６　ヒータ（加熱手段）
１７　熱交換器
２２　モータ
【図１】
2004121352.tif 000003
【図２】
2004121352.tif 000004
【図３】
2004121352.tif 000005
【図４】
2004121352.tif 000006
【図５】
2004121352.tif 000007
【図６】
2004121352.tif 000008
【図７】
2004121352.tif 000009
【図８】
2004121352.tif 000010
【図９】
2004121352.tif 000011